(57)【要約】      （修正有）【課題】組立構造を簡単にし、組立，分解，搬送等の取扱いの省力化とハウスの強度を高めるネット張りの組立式園芸用ハウスを提供する。【解決手段】組立式園芸用ハウスは、圃場における平面視多角形の各コーナーを含む所定位置に立設する支柱２、４と、該支柱２、４間に上下に複数本横設される梁材６、７、８と、支柱２、４に囲まれた上部を覆う天井部１４とを備え、支柱２、４と梁材６、７、８とを組立ててハウスの構造体１を構成し、該構造体１の周壁と天井部１４に通気性又は通風性を備えたネット１３、２１を張設してなる園芸用ハウスであって、支柱２、４の隣接する周面に梁材６、７、８の端部を支持するブラケット１７を突設するとともに、該ブラケット１７に梁材６、７、８を着脱可能に固定するものであり、梁材６、７、８を木製の角材とし、ブラケット１７に対して端部をボルト締着する。【選択図】図１
0003228872.tif 000002
【実用新案登録請求の範囲】
【請求項１】
圃場における平面視多角形の各コーナーを含む所定位置に立設する支柱（２，４）と、該支柱（２，４）間に上下に複数本横設される梁材（６，７，８）と、支柱（２，４）に囲まれた上部を覆う天井部（１４）とを備え、上記支柱（２，４）と梁材（６，７，８）とを組立ててハウスの構造体（１）を構成し、該構造体（１）の周壁と天井部（１４）に通気性又は通風性を備えたネット（１３，２１）を張設してなる園芸用ハウスであって、上記支柱（２，４）の隣接する周面に前記梁材（６，７，８）の端部を支持するブラケット（１７）を突設するとともに、該ブラケット（１７）に梁材（６，７，８）を着脱可能に固定してなる組立式園芸用ハウス。
【請求項２】
梁材（６，７，８）を木製の角材とし、ブラケット（１７）に対して端部をボルト締着してなる請求項１に記載の組立式園芸用ハウス。
【請求項３】
支柱（２，４）を金属，プラスチック又はＦＲＰ材により成形した請求項１又は２に記載の組立式園芸用ハウス。
【請求項４】
ネット（２１）を構造体（１）の外周で木製の梁材（６，７，８）の外周面に被覆する請求項２又は３のいずれかに記載の組立式園芸用ハウス。
【請求項５】
ブラケット（１７）を支柱（２，４）の表面に溶着して取付けてなる請求項３に記載の組立式園芸用ハウス。
【請求項６】
ブラケット（１７）が底辺と周壁からなるアングル状断面を備え、梁材（６，７，８）をアングル状断面の周壁側にボルト締着する請求項１〜５のいずれかに記載の組立式園芸用ハウス。
【請求項７】
天井部（１４）が構造体（１）の支柱（２）の配設形状に対応した平面視多角形の枠（１２）内にネット（１３）を張設し構造体（１）に対して着脱可能な蓋状に形成された請求項１〜６のいずれかに記載の組立式園芸用ハウス。
【請求項８】
構造体（１）の外周及び天井部（１４）にネットの外表面側よりビニールシートを着脱又は開閉操作又は開度調節可能に被覆してなる請求項１〜７のいずれかに記載の組立式園芸用ハウス。
【請求項９】
支柱（２）の下端側に外周側に突出する固定座（２４）を設け、該固定座（２４）にアンカー杭（２７）を挿通して構造体（１）を接地面側に固定する請求項１〜８のいずれかに記載の組立式園芸用ハウス。
【請求項１０】
構造体（１）を立方体状又は直方体状に形成し、天井部（１４）を構造体（１）の平面視形状と同形の網戸状の枠（１２）で形成した請求項１〜９のいずれかに記載の組立式園芸用ハウス。
【考案の詳細な説明】
【技術分野】
【０００１】
この考案は、野菜栽培や各種栽培物の育苗等に使用する組立式園芸用ハウスに関する。
【背景技術】
【０００２】
従来園芸用ビニールハウスとして、多数のアーチ型の骨材を圃場に立設してその周囲をビニールシートやネットで覆うものが主流であるが、特許文献１に示すように圃場に多数うの支柱を長方形又は正方形等の多角形状に配置し、その外周及び上部をネットやビニールシートで覆うものが公知である。
【０００３】
特許文献１のものは、家屋の廃材等を利用した支柱を地面に立て込み、隣接支柱間の上端にアリ溝状断面のレールを架設し、このレールのアリ溝内にネットやシートを挿入固定するもので、支柱間に梁材を固定する必要がなく、比較的組付けも簡単に行える利点がある。
【先行技術文献】
【特許文献】
【０００４】
【特許文献１】特開２０１０−８８３３７号公報
【考案の概要】
【考案が解決しようとする課題】
【０００５】
しかし上記特許文献１に示されるハウスでは、ブラケットによるレール材の締着固定や、レール材のアリ溝内へのシート類の固定に専用の波形の平面スプリングを挿入する等、いくつかの専用部品を必要とする他、建築廃材を用いる場合支柱の断面サイズの違いにより使用できない場合や使用のため支柱上端のサイズ加工を必要とする等の欠点がある。
【０００６】
また比較的組付が簡単であるものの、ブラケットによるレール固定等には、部品調達を含め専門の技術者を必要とする等の問題があり、園芸従事者による部品調達や組立は困難な場合が多い。
【課題を解決するための手段】
【０００７】
上記課題を解決するための本考案のハウスは、第１に、圃場における平面視多角形の各コーナーを含む所定位置に立設する支柱２，４と、該支柱２，４間に上下に複数本横設される梁材６，７，８と、支柱２，４に囲まれた上部を覆う天井部１４とを備え、上記支柱２，４と梁材６，７，８とを組立ててハウスの構造体１を構成し、該構造体１の周壁と天井部１４に通気性又は通風性を備えたネット１３，２１を張設してなる園芸用ハウスであって、上記支柱２，４の隣接する周面に前記梁材６，７，８の端部を支持するブラケット１７を突設するとともに、該ブラケット１７に梁材６，７，８を着脱可能に固定してなることを特徴としている。
【０００８】
第２に、梁材６，７，８を木製の角材とし、ブラケット１７に対して端部をボルト締着してなることを特徴としている。
【０００９】
第３に、支柱２，４を金属，プラスチック又はＦＲＰ材により成形したことを特徴としている。
【００１０】
第４に、ネット２１を構造体１の外周で木製の梁材６，７，８の外周面に被覆することを特徴としている。
【００１１】
第５に、ブラケット１７を支柱２，４の表面に溶着して取付けてなることを特徴としている。
【００１２】
第６に、ブラケット１７が底辺と周壁からなるアングル状断面を備え、梁材６，７，８をアングル状断面の周壁側にボルト締着することを特徴としている。
【００１３】
第７に、天井部１４が構造体１の支柱２の配設形状に対応した平面視多角形の枠１２内にネット１３を張設し構造体１に対して着脱可能な蓋状に形成されたことを特徴としている。
【００１４】
第８に、構造体１の外周及び天井部１４にネットの外表面側よりビニールシートを着脱又は開閉操作又は開度調節可能に被覆してなることを特徴としている。
【００１５】
第９に、支柱２の下端側に外周側に突出する固定座２４を設け、該固定座２４にアンカー杭２７を挿通して構造体１を接地面側に固定することを特徴としている。
【００１６】
第１０に、構造体１を立方体状又は直方体状に形成し、天井部１４を構造体１の平面視形状と同形の網戸状の枠１２で形成したことを特徴としている。
【考案の効果】
【００１７】
本考案の園芸用ハウスは以上のように構成されるので、以下のような効果を奏する。
（１）防風，防虫，防鳥や遮光等の目的で外周面にネット状のシートを被覆する園芸用ハウスの枠体を支柱と梁材及び必要に応じて天井部を含めて組立，分解，再使用可能に構成できるほか、組立分解作業も簡単で、分解状態では棒状，枠状，ロール状（ネットの場合）にしたものをまとめて梱包又は結束，収納できるため、部品の搬送や保管も行い易いほか、ブラケット付支柱以外は市販品による調達ができるという利点があり、支柱と梁材をボルト締着によってユーザーの手元で簡単に組立てることができ、頑丈で耐風性にも優れている。
【００１８】
（２）支柱を薄肉のスチールパイプやアルミ，ＦＲＰ材，プラスチック等の軽量部材で作成することにより軽量化できるほか、パイプ材に限らずアングル状断面，チャンネル状断面等の自由な断面形状のものが選択できる。
【００１９】
（３）梁材を木製にすることにより、梁材自体にネット状シートやビニールシート等をボルト（ビス）や木ねじ等の止め具で簡単に被覆固定でき、木材として市販の２×４工法用のＳＰＦ材等が容易に入手又は交換できる他、長さ加工も専門業者に依存することなく手元でできる。
【００２０】
（４）ハウスを直方体又は立方体形状にすることにより、組立やシート被覆が簡単にできるほか、複数のハウスを左右前後方向に連設し易くなり、圃場面積や形状に応じた増減が容易に行える。
【図面の簡単な説明】
【００２１】
【図１】本考案の園芸用ハウスの枠体を示す一部分解全体斜視図である。
【図２】図１に示す枠体の組立機構を示す部分断面拡大図である
【図３】他の実施形態を示す枠体の斜視図である。
【考案を実施するための形態】
【００２２】
図１，図２はこの考案のハウスの１実施形態を示し、ハウスの骨組を構成する構造体１は、この例では全体として奥行方向に長い直方体状に組立てられている。構造体１は正面（間口）側には、左右両コーナーの支柱２の他、入口３の枠体の両側を構成する中間の支柱４が設けられ、後端両サイドコーナーにも支柱２が立設されている。入口３の上端は次に述べる前側梁材６で、下端は支柱４，４間に横設された下部梁材５でそれぞれ形成されている。
【００２３】
上記隣接する各支柱２，４間には、支柱上端から下端側にわたって５段の前後の梁材６及び補助梁材７と両サイドの梁材８とが横方向に架設され、各支柱２，４は梁材６，７，８で後述するように連結固定されている。入口３にはネット張りで網戸状の戸９が、ヒンジ１１を介して開閉可能に取付けられ、４本の支柱２で囲まれた上端には、支柱配置形状と同一形状、同一寸法の長方形の枠１２とその内側に張設されたネット１３からなる網戸状の天井部１４が係脱金具１６を介して前後の上端梁材６に係脱又は着脱可能に取付けられている。
正面側の中間の支柱４と両コーナーの支柱２との間には、他の周壁側と同様に上下５段の補助梁材７が横設されている。
【００２４】
本例では支柱２，４はいずれも薄板のスチール管が使用されており、各梁材６，７，８には市販されている材木で２×４工法用ＳＰＦ材が使用されている。各段の梁材６，７，８の両端と支柱２，４の連結部の隣接支柱間の対向面には、図２に示すようにＬ字形（アングル状）断面のブラケット１７が溶接されて突設されている。
【００２５】
このブラケット１７は構造体１内の各支柱２，４と梁材６，７，８との連結部において、各梁材６，７，８を下側と外側面を受け止める向きで支柱２，４に溶着されており、各梁材６，７，８の端部とブラケット１７の外側辺にはボルト１８を挿通して締着するボルト孔Ｈ１，Ｈ２が穿設されていて、梁材６，７，８は横断面方向に挿通されたボルト１８とナット１９により支柱２，４側に締着され一体固定される。
尚、各梁材６，７，８の長さ寸法は、その端面が連結部の各支柱周面に当接する寸法に加工されており、支柱２，４との組付け自体により、全体の剛性を高める機構となっている。
【００２６】
上記梁材６，７，８を上端で支持する支柱２，４の内、正面側の中間の支柱４の上端は、正面の梁材６を直接支持するように、梁材６を受け止める梁材６の断面に対応した切欠部４ａが内側に形成されている。
【００２７】
また、各中間の支柱４の外側と正面側コーナーの支柱２の上端間には、補助梁材７がブラケット１７によって取付け支持され、正面上端の梁材６はその上面側に載置されて支持され、固定されている（図２参照）。この場合の梁材６は中間の支柱４の上端又は左右の補助梁材７側に固定することができる。
【００２８】
上記のように組付けられた構造体１には、入口３を除いた外周にシート状又は幕状のネット２１が被覆され、ネット２１は内部の栽培物に対する強風からの保護，防虫，通通確保，遮光等の目的で被覆されるもので、ネットの種類やメッシュの大きさ又は種類，材質等はその目的に応じて選択され、紐状のものやロープを編成したもの，プラスチック成型されたもの等が使用される。また天井部１４の網戸状のものに代えて、直接ネットを被覆することもできる。
【００２９】
またネット２１は上端が、構造体１の上端の梁材６，８とその下方の適宜位置の梁材６，７，８の外周面にボルト（ビス）２２等により、着脱可能に取付けられるが、この例では梁材６，７，８の周面所定位置に予め埋込ナット２３を埋設しておくことによりビス２２で止めている。
【００３０】
ネット２１の他にネット上面からビニールシート（図示しない）を同様な方法で着脱可能に被覆する場合もあり、この場合ビニールシートを下端から適宜高さまでロール状に巻上げ保持することにより、シートの被覆量調節（開度調節）を行うこともできる。
【００３１】
さらに、構造体１の四隅の支柱２の下端には、その周面に突出するフランジ状の固定座２４を取付け、該固定座２４に穿設した杭孔２６を介してアンカー杭２７を地面（圃場面）に対して打込むことにより、ハウス全体を地面側に固定させ、強風等に対する安定性を確保している。
【００３２】
尚、上記実施形態では、支柱として薄肉の角型スチールパイプを用いたが、アルミ押出し成形パイプやＦＲＰパイプ，プラスチック成形パイプを用いることも可能で、さらにパイプに限らずアングル状断面，チャンネル状断面のものの使用も可能である。また、ブラケット１７は溶接固定に限らずボルト締め固定のタイプにすることも可能であり、ブラケット１７の形状も板状，チャンネル状部材，梁材端部を差込むパイプ状部材を用いることも可能である。その他天井部１４は網戸状の平坦部材としたが、山形の三角屋根，ドーム形屋根にすることも可能である。
【００３３】
図３はこの発明の他の実施形態の園芸用ハウスを示す全体斜視図で、図１，図２に示すものが例えばトウモロコシ，トマト，キュウリ等、主として背丈の高い果菜類栽培用で、内部に人が出入りしながら管理するのに適した屋根高さを高くしてある（例えば１８００ｍｍ以上）のに対し、図３に示すものは、屋根高さが７００ｍｍ程度と低くしてあり、白菜，キャベツその他の主として葉菜類や根菜類の栽培管理用に適している。
【００３４】
この例では、作業者が、ハウス（構造体１）の外側から周壁越えに直接内部の作物の管理が可能な高さとなっており、図１，図２に示す入口３が省略されている。栽培管理作業時には天井部１４を取外して行われる。図３に示すその他の機構や各部の機能は前述した例と同様であり、共通する符号は共通機能の部材を示す。
【符号の説明】
【００３５】
１      構造体
２，４      支柱
６，７，８      梁材
１２      枠
１３      ネット
１４      天井部
１７      ブラケット
２４      固定座
２７      アンカー杭
【図１】
0003228872.tif 000003
【図２】
0003228872.tif 000004
【図３】
0003228872.tif 000005